(57)【要約】      （修正有）【課題】室内壁面を用いて屋外風景を演出できる室内壁面構造を提供する。【解決手段】窓枠１１１と、窓枠１１１に嵌め込む透明なガラス板１１２と、ガラス板１１２より壁よりに設けた白色発光する発光パネル１１３と、ガラス板１１２と発光パネル１１３との間に挿入する、風景写真が撮像されたフィルムシート１１４と、を有する疑似的な窓１０１を、垂直壁面または天井に設置する。【選択図】図２
0003165312.tif 000002
【実用新案登録請求の範囲】
【請求項１】
窓枠と、
窓枠に嵌め込む透明なプレート体と、
プレート体より壁よりに設けた白色発光する発光パネル体と、
プレート体と発光パネル体との間に挿入する、風景写真が撮像されたフィルム体と、
を有する疑似窓を、垂直壁面または天井に設置したことを特徴とする室内壁面構造。
【請求項２】
疑似窓を複数連ねた連窓とし、
前記フィルム体は、連窓の設置間隔に合わせて一枚の風景写真の所定部分を削除して分割した風景写真であることを特徴とする請求項１に記載の室内壁面構造。
【請求項３】
中桟を設けた疑似窓であることを特徴とする請求項１または２に記載の室内壁面構造。
【請求項４】
発光パネルは、白色パネル体とＬＥＤとにより構成されたことを特徴とする請求項１，２または３に記載の室内壁面構造。
【請求項５】
フィルム体はプレート体と発光パネルとの間から着脱可能であることを特徴とする請求項１〜４のいずれか一つに記載の室内壁面構造。
【考案の詳細な説明】
【技術分野】
【０００１】
本考案は、室内壁面構造に関し、特に、屋外風景が写る擬似的な窓を有する室内壁面構造に関するものである。
【背景技術】
【０００２】
従来、室内の壁面に窓を設け、採光したり、屋外の実際の風景を楽しむことができた。また、壁面に絵画を取付け、室内に一定の変化を持たせたり質感を向上させていた。
【０００３】
しかしながら、窓は外壁に設けていないと屋外からの採光が不可能であり、また、屋外風景を楽しむことができなかった。また、絵画や写真を壁に掛けても、あくまでも絵画や写真に過ぎず、屋外風景として認識されるものではなかった。
【先行技術文献】
【特許文献】
【０００４】
【特許文献１】特開２００１−１７１２９８号
【特許文献２】特願２００１−５０７３３７号
【考案の概要】
【考案が解決しようとする課題】
【０００５】
解決しようとする問題点は、室内壁面を用いて屋外風景を演出できる点である。
【課題を解決するための手段】
【０００６】
請求項１に記載の室内壁面構造は、窓枠と、窓枠に嵌め込む透明なプレート体と、プレート体より壁よりに設けた白色発光する発光パネル体と、プレート体と発光パネル体との間に挿入する、風景写真が撮像されたフィルム体と、を有する疑似窓を、垂直壁面または天井に設置したことを特徴とする。
【０００７】
すなわち、請求項１にかかる考案は、発光によりあたかも外から光が差し込むかのような屋外風景を良好に演出できる。ここで、より演出効果を高めるために、室内の出入口もしくは椅子やソファーの位置から壁面までの距離を考慮した風景が撮像された風景写真であることが好ましい。なお、発光パネル体は、適宜光量の設定が可能であり、晴天の屋外風景のフィルム体であるときは明るくするなどする。天井に設置する場合は、雲ないし空の写真とすることができる。
【０００８】
請求項２に記載の室内壁面構造は、請求項１に記載の室内壁面構造において、疑似窓を複数連ねた連窓とし、前記フィルム体が、連窓の設置間隔に合わせて一枚の風景写真の所定部分を削除して分割した風景写真であることを特徴とする。
【０００９】
すなわち、請求項２にかかる考案は、複数の連窓で大面積を構築し、屋外風景をより効果的に演出できる。
【００１０】
請求項３に記載の室内壁面構造は、請求項１または２に記載の室内壁面構造において、中桟を設けた疑似窓であることを特徴とする。
【００１１】
すなわち、請求項３にかかる考案は、屋外と連通している窓のような効果的な演出が可能となる。なお、中桟は一本でなく、縦桟と横桟を適宜組み合わせても良い。
【００１２】
請求項４に記載の室内壁面構造は、請求項１，２または３に記載の室内壁面構造において、発光パネルが、白色パネル体とＬＥＤとにより構成されたことを特徴とする。
【００１３】
すなわち、請求項４にかかる考案は、低消費電力で高いコントラストを実現し、演出効果を向上させることができる。なお、ＬＥＤは、適宜白色ＬＥＤなどを用いることができる。
【００１４】
請求項５に記載の室内壁面構造は、請求項１〜４のいずれか一つに記載の室内壁面構造において、フィルム体がプレート体と発光パネルとの間から着脱可能であることを特徴とする。
【００１５】
すなわち、請求項５にかかる考案は、適宜風景を差し替え、室内の表情を変更可能となる。たとえば、春夏秋冬の風景を演出できる。また、夜景を演出することもできる。
【考案の効果】
【００１６】
本考案の室内壁面構造は、室内壁面を用いて屋外風景を演出できる。
【図面の簡単な説明】
【００１７】
【図１】垂直壁面に設置した室内壁面構造の概要図である。
【図２】疑似窓の構成概略図である。
【考案を実施するための形態】
【００１８】
図１は、垂直壁面に設置した室内壁面構造の概要図である。図２は、疑似窓の構成概略図である。
【００１９】
図示したように、室内壁面構造１００は、複数の窓１０１が壁１０２に設置された構造を有する。窓１０１は、縦長の窓であり、図では４つが横並びとなり、一つの屋外風景が表示されている。この屋外風景は、後述するようにカラー印刷されたフィルムシート上の画像であるが、単に一枚の画像を分割しているだけでなく、窓１０１の間隔分を削除して、自然な連続性を持たせるようにしている。図では、川にかかる橋の風景が表されている。
【００２０】
また、現実の風景が屋外に展開しているように見えるようにできるだけ近づけるために、都市の上空写真など、視点が日常でないものは採用しないようにする。
【００２１】
図２に示したように、窓１０１は、窓枠１１１と、窓枠１１１に嵌め込む透明なガラス板１１２と、壁寄りすなわち室外側に設けた白色の発光パネル１１３と、ガラス板１１２と発光パネル１１３との間に挿入する、風景写真が撮像されたフィルムシート１１４と、を有する疑似的な窓として構成している。
【００２２】
発光パネル１１３とフィルムシート１１４が存在する他は、窓１０１は、建造物の外壁に取り付けるものと同様なものを採用するようにする。なお、窓１０１には、窓枠１１１の他に中桟１１５を備え、コテージ風の窓１０１を看取させる意匠を構築している。
【００２３】
発光パネル１１３は、白色透明板１３１と、ＬＥＤ光源１３２とにより構成される。図示は省略するがＬＥＤ光源１３２は、適宜電源に接続され、この電源は壁１０２に埋め込むか、室内側に露出する場合であっても極力目立たないように被覆処理などする。ＬＥＤ光源１３２も特に限定されず、白色透明板１３１の全面をムラのないように一様に発行させるものであれば、その配置位置や配置個数は特に限定されない。
【００２４】
図２に示したように、窓１０１は、上窓枠１１１Ｕを取り外し可能にしてあり、ここからフィルムシート１１４の入替えを可能としている。フィルムシート１１４を入れ替えることにより、季節感を出したり、夜には夜景を演出したり、内装によらないいわば模様替えが可能となり、居住者ないし使用者の気分転換を図ることも可能となっている。なお、フィルムシート１１４のみでなく、これと、白色透明板１３１およびＬＥＤ光源１３２とを全体として挿抜可能にしても良い。
【００２５】
以上の説明のように、本考案によれば、屋外風景が写る擬似的な窓を有する室内壁面構造を提供可能となる。
【００２６】
なお、以上の例では、垂直な壁面の室内壁面構造を示したが、天井部分に設けるようにしても良い。特に、天井が高い場合、もしくは天井が屋根である場合には、人間の視点からの距離があるので視野角が大幅に変更せず、実際の空であるかのような錯覚が生じやすく、視覚効果が高くなる。
【産業上の利用可能性】
【００２７】
なお、本考案は、後施工により既存の壁に疑似窓を設置して構築するようにすることもできる。
【符号の説明】
【００２８】
１００  室内壁面構造
１０１  窓
１０２  壁
１１１  窓枠
１１１Ｕ          上窓枠
１１２  ガラス板
１１３  発光パネル
１１４  フィルムシート
１１５  中桟
１３１  白色透明板
１３２  ＬＥＤ光源
【図２】
0003165312.tif 000003
【図１】
0003165312.tif 000004